(57)【要約】【課題】本発明は、閉脚状態と開脚状態との間を相対回動可能に支持された２本のコンパス脚（５、６）を有するコンパス本体（２）と、その一方の（回転）コンパス脚（５）に保持された筆芯（１５）と、少なくとも筆芯（１５）を保持する回転コンパス脚（５）の自由端（３５、３６）に両コンパス脚（５、６）の閉脚状態において少なくとも前記自由端（３５、３６）を外に対して覆うように装着可能ないし被せられた保護キャップ（３）とを備えたコンパス兼用筆記具（１）に関する。【解決手段】本発明に基づいて、保護キャップ（３）はその装着状態においてコンパス本体（２）とは反対の側の末端（３２）に筆芯（１５）用の貫通開口（３３）を有し、筆芯（１５）と被せられた保護キャップ（３）が、筆芯（１５）の尖端（３７）が貫通開口（３３）を通して外に突出している露出状態と、筆芯（１５）が保護キャップ（３）の内部に引き込まれた格納状態との間で相対移動できる。【選択図】図３
2010137572.tif 000002
【特許請求の範囲】
【請求項１】
閉脚状態と開脚状態との間を相対回動可能に支持された２本のコンパス脚（５、６）を有するコンパス本体（２）と、その一方の（回転）コンパス脚（５）に保持された筆芯（１５）と、少なくとも筆芯（１５）を保持する回転コンパス脚（５）の自由端（３５、３６）に両コンパス脚（５、６）の閉脚状態において少なくとも前記自由端（３５、３６）を外に対して覆うように装着可能ないしは被せられた保護キャップ（３）とを備えたコンパス兼用筆記具（１）であって、
保護キャップ（３）がその装着状態においてコンパス本体（２）とは反対の側の末端（３２）に筆芯（１５）用の貫通開口（３３）を有し、
筆芯（１５）と被せられた保護キャップ（３）が、筆芯（１５）の尖端（３７）が貫通開口（３３）を通して外に突出している露出状態と、筆芯（１５）が保護キャップ（３）の内部に引き込まれた格納状態との間で相対移動できることを特徴とするコンパス兼用筆記具。
【請求項２】
保護キャップ（３）がその装着状態においてコンパス本体（２）に強固に保持され、
筆芯（１５）が保護キャップ（３）の装着状態で回転コンパス脚（５）内において移動可能であることを特徴とする請求項１に記載のコンパス兼用筆記具。
【請求項３】
筆芯（１５）を保持する回転コンパス脚（５）に筆芯（１５）の送り機構（１７）が組み入れられていることを特徴とする請求項２に記載のコンパス兼用筆記具。
【請求項４】
保護キャップ（３）が、その装着状態において前記露出状態または格納状態に相応した２つの長手方向移動位置でコンパス本体（２）に係止できることを特徴とする請求項１ないし３のいずれか１つに記載のコンパス兼用筆記具。
【請求項５】
保護キャップ（３）が両コンパス脚（５、６）の自由端（３５、３６）に、両コンパス脚（５、６）が保護キャップ（３）によってその閉脚状態に固定されるように装着または被せられていることを特徴とする請求項１ないし４のいずれか１つに記載のコンパス兼用筆記具。
【請求項６】
両コンパス脚（５、６）が、保護キャップ（３）の装着状態において閉脚状態から開脚状態に開脚できることを特徴とする請求項１ないし４のいずれか１つに記載のコンパス兼用筆記具。
【請求項７】
筆芯（１５）が、ボールペン芯または摩耗材料からなることを特徴とする請求項１ないし６のいずれか１つに記載のコンパス兼用筆記具。
【請求項８】
筆芯（１５）が、両コンパス脚（５、６）の閉脚状態においてコンパス本体（２）の長手軸線（Ｌ）と略同軸上に延びていることを特徴とする請求項１ないし７のいずれか１つに記載のコンパス兼用筆記具。
【請求項９】
両コンパス脚（５、６）が、該両コンパス脚（５、６）がコンパス本体（２）の長手軸線（Ｌ）に関して対称に同じ角度でしか開脚できないことを特徴とする請求項１ないし８のいずれか１つに記載のコンパス兼用筆記具。
【請求項１０】
保護キャップ（３）が、その末端（３２）に向けて円錐状に延びていることを特徴とする請求項１ないし９のいずれか１つに記載のコンパス兼用筆記具。
【請求項１１】
両コンパス脚（５、６）が、閉脚状態において被せられた保護キャップ（３）と一緒に、細長い卵形や回転楕円体の形に丸みを帯びた外側輪郭を形成することを特徴とする請求項１ないし１０のいずれか１つに記載のコンパス兼用筆記具。
【請求項１２】
保護キャップ（３）にコンパス本体（２）に向いた留めクリップ（４５）が配置されていることを特徴とする請求項１ないし１１のいずれか１つに記載のコンパス兼用筆記具。
【発明の詳細な説明】
【技術分野】
【０００１】
本発明はコンパス兼用筆記具に関する。
【背景技術】
【０００２】
一方で筆記用筆の形で使用でき、他方で円を描くコンパスとして使用できる用具を以下においてコンパス兼用筆記具と呼ぶ。特許請求の範囲の請求項１の前文に記載のコンパス兼用筆記具は特許文献１で知られている。そのコンパス兼用筆記具は２本のコンパス脚（支点コンパス脚と回転コンパス脚）が回動可能に支持されたホルダを備えたコンパス本体を有している。それらの両コンパス脚は、（円を描く際に普通であるように）、両コンパス脚が互いに平行して延び相互に接する閉脚状態と両コンパス脚が設定可能な角度を成した開脚状態との間で回動できる。一方のコンパス脚（回転コンパス脚）に筆芯が保持されている。他方のコンパス脚（支点コンパス脚）はコンパス支点針を有している。その公知のコンパス兼用筆記具はさらに、両コンパス脚をその閉脚状態において固定するように両コンパス脚上に押し被せられる保護キャップを有している。またその公知のコンパス兼用筆記具は筆記用の筆芯も有し、その筆芯は、コンパス本体のホルダに組み入れられ、筆記作業時にコンパス脚とは反対の側のホルダ自由端から突出する。
【０００３】
他のコンパス兼用筆記具が特許文献２で知られている。そのコンパス兼用筆記具は互いに回動可能な２本のコンパス脚を有し、その一方のコンパス脚にポールペン芯が場所不動に保持されている。そのコンパス脚はほぼ通常のポールペンに相応した外側輪郭を有している。しかし通常のポールペンと異なり、そのコンパス脚の周囲に閉脚状態時に他方のコンパス脚が回動してはめ込まれる縦溝が設けられている。
【０００４】
さらに他のコンパス兼用筆記具が特許文献３で知られている。そのコンパス兼用筆記具の場合、両コンパス脚は筆記具として使用するために筆として閉脚状態に回動して置かれず、両コンパス脚が互いに一直線に軸方向に伸張して延び筆体を形成する広げ状態に回動して置かれる。
【０００５】
さらに特許文献３で、両コンパス脚の自由端に被せられ、それらの自由端を損傷に対して保護する保護キャップを備えたコンパスが知られている。
【先行技術文献】
【特許文献】
【０００６】
【特許文献１】独国特許第７１３６７５３号明細書（DE7136753）
【特許文献２】独国特許出願公開第２２３４２７４号明細書
【特許文献３】独国特許出願公開第３３５２８０号明細書
【特許文献４】独国実用新案第１８４７７７４号明細書
【特許文献５】独国実用新案第７１３６７５３号明細書（DE7136753 U）
【発明の概要】
【発明が解決しようとする課題】
【０００７】
本発明の課題は、改善され特に容易に操作できるコンパス兼用筆記具を提供することにある。
【課題を解決するための手段】
【０００８】
この課題は本発明に基づいて特許請求の範囲の請求項１に記載の特徴によって解決される。それに応じて、（以下において普遍的制限なしに単に「コンパスペン」とも呼ぶ）コンパス兼用筆記具は、相対回動可能に支持された２本のコンパス脚を備えたコンパス本体を有している。この両コンパス脚は（相互の）閉脚状態と（設定可能な角度だけ）互いに開いた開脚状態との間で回動できる。その一方の（回転）コンパス脚に筆芯が保持されている。このコンパスペンはまた（特に円錐状に延びる）保護キャップを有している。この保護キャップは、少なくとも筆芯を保持する回転コンパスの自由端に、（保持キャップ除去状態では）装着可能であり、ないしは被せられ（装着状態にされ）、これによって、保護キャップは装着状態において閉脚状態の両コンパス脚の自由端を外に対して覆って保護する。
【０００９】
本発明に基づいて、保護キャップはその末端に筆芯用の貫通開口が設けられている。その場合、保護キャップの装着状態においてそのコンパス本体と反対側の端部を保護キャップの末端と呼ぶ。さらに、筆芯とコンパス本体に被せられた保護キャップは、筆芯の尖端が装着保護キャップの貫通開口を通して外に突出している露出状態と、筆芯が保護キャップの内部に引き込まれている格納状態との間で相対移動できる。ここで筆芯は、好適には、ボールペン芯あるいは摩耗材料から成る芯（鉛筆芯、色鉛筆芯など）である。しかし基本的には、他の任意の形式の芯、特にフェルト芯や繊維芯も採用できる。
【発明の効果】
【００１０】
不使用中に、即ち、輸送するためおよび保管するために、コンパスペンは規定通りに保護キャップが被されて利用され、この関係において、筆芯は格納状態において保護キャップの内部に置かれ、従って、筆芯の損傷あるいは筆芯による過失的環境汚染が防止される。コンパス作業に対して、コンパスペンは規定通りに保護キャップを外して使用され、これによって、両コンパス脚の自由端に外から近づくことができ、これによって、コンパス兼用筆記具は通常のコンパスの形態で利用できる。筆記作業に対して規定通りにコンパス作業と同じ筆芯が利用される。しかしその筆記具は規定通りに保護キャップを被せて使用され、そのために、筆芯が露出状態に移動され、即ち、保護キャップの貫通開口を通して突き出される。
【００１１】
保護キャップと筆芯との相対運動性により、保護キャップを被せられたコンパスペンが通常のボールペンやシャープペンシル（Fallminenstift）と同じ簡便性と精密性で使用できる。同時にこのコンパスペンは保護キャップの単なる取外しによって特に簡単に筆記機能からコンパス機能に転換される。筆記作業並びにコンパス作業に対して同じコンパスペンの使用によって、コンパスペンがその両使用形式に対して回転される必要がないので、特に単純な操作性が得られる。これによって同時に、コンパスペンの製造も単純化され、コンパスペンの特にコンパクトなデザインが可能とされる。
【００１２】
コンパスペンの上述した機能にとって特に、保護キャップが外されている場合も、筆芯が回転コンパス脚に保持され、即ち、強固にあるいは少なくとも半径方向に不動に固定されていることが重要であり、これによって、保護キャップが外されている場合もコンパスペンは使用できる。即ち、換言すれば、保護キャップは筆記作業に対してせいぜい補助的な支え機能と案内機能を発揮する。
【００１３】
コンパスペンの第１実施態様において、保護キャップがその装着状態において（少なくともコンパス本体の軸方向において）コンパス本体に場所不動に保持され、特に係止されている。この場合、コンパスペンを露出状態と格納状態との間で移動調整するために、筆芯は（正に保護キャップが被せられている場合も）回転コンパス脚内に移動可能に案内されている。さらに筆芯を移動するために、目的に適ってその回転コンパス脚に筆芯の送り機構が組み入れられている。筆芯がボールペン芯である場合には、その送り機構は目的に適って通常のボールペン機構の形態で形成されている。この機構はボールペンで広く普及している「ダブルプッシュ機構（プッシュ・プッシュ機構）」の形態で形成され、その場合、筆芯は操作機構の単純な動作によって前進移動位置にロックされ、同じ方向における再操作によって解除される。あるいはそれに代わって、大きな単純性の理由から、ボールペン芯を送るために、「シフト・ラッチ機構」も採用でき、その場合、ボールペン芯はスライダによって引き出された位置に移動され、その位置に係止され、ボールペン芯を戻すために、その係止が別の箇所で解かれる。筆芯がそれに代わって鉛筆芯や色鉛筆芯で形成されている場合には、送り機構は目的に適ってシャープペンシルや細芯ペンの送り機構の形態で形成されている。いずれの場合も、送り機構は目的に適って、回転コンパス脚の周囲に、即ち、その半径方向外側壁に外側に突出する操作機構が設けられている。
【００１４】
本発明に基づくコンパスペンの第２実施態様において、保護キャップはその装着状態において２つの長手方向移動位置でコンパス本体に係止でき、それらの長手方向移動位置は露出状態ないし格納状態に相応している。この実施態様において、目的に適って必ずしも必要ではないが、筆芯は回転コンパス脚に場所不動に保持されている。
【００１５】
有利な実施態様において、保護キャップは両コンパス脚の自由端に、両コンパス脚がその閉脚状態において保護キャップによって固定されるように装着可能ないし被せられている。これによって、両コンパス脚は（特に保管および輸送のために）保護キャップによって過ちによる開脚が防止される。
【００１６】
保護キャップの異なった実施態様において、保護キャップは筆芯を支持している回転コンパス脚だけに直接被せられる。この保護キャップは中心コンパス脚の側にその支点コンパス脚が入り込む縦溝あるいは切欠きが設けられている。この実施態様において、両コンパス脚の閉脚状態において支点コンパス脚の自由端も保護キャップの内部に位置し、これによって、外側に対して覆われ接触を防止される。しかし同時に、保護キャップを取り外す必要なしに両コンパス脚は開脚できる。
【００１７】
筆記作業時におけるコンパスペンの特に良好な操作性のために有利に、筆芯は回転コンパス脚に、両コンパス脚の閉脚状態において筆芯がコンパス本体の（長手）軸線とほぼ同軸的に延び、これによって、ほぼ中央で回転コンパス脚に結合されているように配置されている。
【００１８】
その代わりにあるいはそれに加えて、コンパス作業時におけるコンパスペンの単純な操作のために、特に両コンパス脚は、その両コンパス脚がコンパス本体の（長手）軸線に関して対称に同じ角度だけしか開脚できないように互いに連結されている。かかる連結機構は例えば特許文献４で知られている。
【００１９】
さらに、筆記作業時におけるコンパスペンの改善された操作性のために、目的に適った実施態様において、両コンパス脚は閉脚状態において被せられた保護キャップと一緒に、細長い卵形や回転楕円体の形態の人間工学的に丸みを帯びた外側輪郭を形成するように成形されている。それに加えてあるいはその代わりに、保護キャップは、コンパスペンを持つ手の指に対する人間工学的に形成されたつかみ凹所が設けられている。
【００２０】
コンパスペンの他の有利な実施態様において、保護キャップにコンパス本体に向いた留めクリップが設けられ、特に一体成形され、この留めクリップによって、コンパスペンは使用者の上着ポケットや書類鞄に留められる。あるいはまた、そのようなクリップは一方のコンパス脚やこのコンパス脚を支持するホルダに設けられ、特に一体形成され、その場合殊にコンパス脚の自由端に向いている。
【００２１】
以下図を参照して本発明の実施例を詳細に説明する。なお各図において同一部分には同一符号が付されている。
【図面の簡単な説明】
【００２２】
【図１】ホルダと２本のコンパス脚とを有するコンパス本体および閉脚された両コンパス脚上に被せられた保護キャップを備え、一方の（回転）コンパス脚に保持された筆芯が格納状態で保護キャップの内部に置かれているコンパスペンの第１実施例の側面図。
【図２】図１のコンパスペンを９０°回転した状態の側面図。
【図３】図２のコンパスペンの一部破断側面図。
【図４】筆芯が装着保護キャップから突出する露出状態に移動された図１のコンパスペンの図１に相当した図。
【図５】図４のコンパスペンの図２に相当した図。
【図６】図４のコンパスペンの図３に相当した図。
【図７】図１のコンパスペンの図２、図３、図５、図６のＶＩＩ−ＶＩＩ線に沿った断面図。
【図８】図１のコンパスペンの保護キャップが外された状態の図２に相応した図。
【図９】図８のコンパスペンの図３に相当した図。
【図１０】図１のコンパスペンの両コンパス脚が開脚された状態の図８に相応した図。
【図１１】図１０の状態にある図１のコンパスペンの図３に相当した図。
【図１２】筆芯が回転コンパス脚に場所不動に取り付けられ、保護キャップがその装着状態においてコンパス本体に関して２つの長手移動位置に係止でき、筆芯が保護キャップの内部に置かれた格納状態にあるコンパスペンの第２実施例の図３に相応した図。
【図１３】図１２のコンパスペンの筆芯が保護キャップから突出した露出状態に移動された状態の図１２に相応した図。
【図１４】保護キャップが外された状態にある図１２と図１３のコンパスペンの図１に相応した部分側面図。
【図１５】両コンパス脚が保護キャップの装着状態で互いに開脚できるコンパスペンの第３実施例の図３に相応した図。
【図１６】図１５のコンパスペンの両コンパス脚が開脚された状態の図１１に相応した図。
【図１７】閉脚された両コンパス脚が被せられた保護キャップと一緒に丸みを帯びた外側輪郭を形成しているコンパスペンの２つの実施例の図２、図３ないし図１１に相当した図。
【図１８】閉脚された両コンパス脚が被せられた保護キャップと一緒に丸みを帯びた外側輪郭を形成しているコンパスペンの２つの実施例の図２、図３ないし図１１に相当した図。
【図１９】閉脚された両コンパス脚が被せられた保護キャップと一緒に丸みを帯びた外側輪郭を形成しているコンパスペンの２つの実施例の図２、図３ないし図１１に相当した図。
【図２０】閉脚された両コンパス脚が被せられた保護キャップと一緒に丸みを帯びた外側輪郭を形成しているコンパスペンの２つの実施例の図２、図３ないし図１１に相当した図。
【図２１】閉脚された両コンパス脚が被せられた保護キャップと一緒に丸みを帯びた外側輪郭を形成しているコンパスペンの２つの実施例の図２、図３ないし図１１に相当した図。
【図２２】閉脚された両コンパス脚が被せられた保護キャップと一緒に丸みを帯びた外側輪郭を形成しているコンパスペンの２つの実施例の図２、図３ないし図１１に相当した図。
【発明を実施するための形態】
【実施例１】
【００２３】
図１〜図１１にまず示された本発明の第１実施例におけるコンパス兼用筆記具は細長いコンパス本体２と保護キャップ３を有している。またコンパス本体２はホルダ４およびこのホルダ４に軸線７を中心として回動可能に支持された２本のコンパス脚（回転コンパス脚、支点コンパス脚）５、６を有している。その両コンパス脚５、６は軸線７に対して同軸的に案内された取付けねじ８によってホルダ４にヒンジ結合されている。
【００２４】
ホルダ４は特にプラスチックやアルミニウムやマグネシウムから射出成形品ないしダイキャスト品として作られ、そのコンパス脚５、６とは反対の側の自由端９がピン状グリップ１０の形で引き出されている。ホルダ４はその自由端９とは反対の側に図１の側面図で断面ほぼＵ状の壁から成る受け部１１を備え、その受け部１１の壁は軸線７に対して直角に延び、受け部１１にコンパス脚５、６のヒンジ継手端１２、１３が入り込んでいる。そのヒンジ継手端１２、１３間に隔離板１４が配置され、この隔離板１４はホルダ４に長手方向に移動可能であるが回り止めして案内されている。ヒンジ継手端１２、１３が隔離板１４の相応した案内軌道に係合していることによって、両コンパス脚５、６はこれらが常にコンパス本体２の長手軸線Ｌに関して対称に同じ角度だけ回動できるように互いに連結されている。その連結機構は原理について例えば特許文献１に開示されている。
【００２５】
さらに両コンパス脚５、６は殊にプラスチックやアルミニウムやマグネシウムから空洞形材として形成されている。この場合、回転コンパス脚５は図示された実施例においてボールペン芯である筆芯１５を保持するために用いられる。支点コンパス脚６はコンパス中心針１６を保持するために用いられる。
【００２６】
筆芯１５並びにコンパス支点針１６は回転コンパス脚５ないし支点コンパス脚６に移動可能に案内され、回転コンパス脚５ないし支点コンパス脚６に関して種々の長手方向移動位置に相応した固定手段によって固定される。その固定手段は筆芯１５の場合には「シフト・ラッチ機構」の形態に形成されたボールペン機構１７によって形成されている。このボールペン機構１７は筆芯１５の後端に被せられた盲孔付きブッシュ１８を有している。このブッシュ１８は射出成形連結部片１９を介して回転コンパス脚５の外周における部分的に突出したスライダ２０に結合されている。また連結部片１９にたわみ腕２１が設けられ、特に一体成形され、このたわみ腕２１はその自由端側に係止フック２２を有している。
【００２７】
連結部片１９は回転コンパス脚５の壁に開けられた長孔２３に長手軸線Ｌに沿って移動可能に案内されている。長孔２３の両側にその長孔の部分長範囲にわたって、スライダ２０に対する摺動床として用いる窪み２４が回転コンパス脚５の外側壁に設けられている。
【００２８】
長孔２３にその横に、スライダ２０の異なった移動位置において係止フック２２が係合する２つのノッチ２５、２６が設けられている。
【００２９】
さらにボールペン機構１７の構成要素は、筆芯１５をブッシュ１８の方向に予め押し付ける圧縮コイルばね２７を有している。この圧縮コイルばね２７は筆芯１５を取り囲み、回転コンパス脚５の壁段部と筆芯１５における半径方向両側張出し部２８との間に当接支持されている。
【００３０】
コンパス支点針１６は支点コンパス脚６に止めねじ２９によって解放可能に固定される。その止めねじ２９は支点コンパス脚６の壁に設けられたねじ孔にねじ込まれている。
【００３１】
保護キャップ３はプラスチックから成形品、特に射出成形品として形成されている。これは主に円錐状に延びるブッシュの形をしている。保護キャップ３はその軸方向片側端に比較的大きな差込み側開口３０が設けられている（図９参照）。保護キャップ３はその反対側軸方向端（以下末端と呼ぶ）３２にキャップ軸線Ｋと同心的に配置された細い貫通開口３３を有している。
【００３２】
図１〜図９は、コンパス１の回転コンパス脚５と支点コンパス脚６が互いに接して長手軸線Ｌに対して平行に延びている閉脚状態にあるコンパスペン１を示している。その両コンパス脚５、６はホルダ４と一緒にほぼ棒状の、殊にほぼ円筒状の外側輪郭を形成している（図７参照）。特に図３、図６および図７から明らかなように、支点コンパス脚６はその内側壁にほぼ半円筒状の空所が設けられ、この空所に対してほぼ補足的に形成された回転コンパス脚５の突起３４がその空所にはまり込む（図１０と図１１参照）。筆芯１５は回転コンパス脚５の内部においてその突起３４内に、両コンパス脚５、６の閉脚状態において筆芯１５が長手軸線Ｌと同一直線上を延びるように位置している。これによって、筆芯１５は特に閉脚状態の両コンパス脚５、６によって形成された外側輪郭に関して中央に配置されている。
【００３３】
保護キャップ３は回転コンパス脚５ないし支点コンパス脚６の自由端３５、３６に、保護キャップ３がそれらの自由端３５、３６を外側に対して覆うように被せられている。保護キャップ３はその装着状態において両コンパス脚５、６をその閉脚状態に固定し、これによって、両コンパス脚５、６の過ちによる開脚を防止する。保護キャップ３が被せられた状態において、コンパス支点針１６は保護キャップ３の内部に置かれている。このために、コンパス支点針１６は支点コンパス脚６の中に、コンパス支点針１６が支点コンパス脚６からほんの僅かしか突出しないように引き込まれている。
【００３４】
保護キャップ３は回転コンパス脚５ないし支点コンパス脚６の自由端３５、３６の上に、保護キャップ軸線Ｋがコンパス本体３の長手軸線Ｌと一直線となるよう押し被せられている。保護キャップ３はその装着状態において、回転コンパス脚５およびこの回転コンパス脚５に保持された筆芯１５に関して、ボールペン機構１７の操作によって筆芯１５が、筆芯１５の尖端３７が保護キャップ３の貫通開口３３を通して外側に突出する露出状態と、筆芯１５が被せられた保護キャップ３の中に完全に置かれる格納状態との間で移動できるように配置されている。図１〜図３は、（両コンパス脚５、６が閉脚され、保護キャップ３が被せられ、筆芯１５が格納された状態にある）コンパスペン１を示している。図４〜図６は、（同様に両コンパス脚５、６が閉脚され、保護キャップ３が被せられているが、筆芯１５が露出状態にある）コンパスペン１を示している。
【００３５】
コンパスペン１は特に保管および輸送の目的のために、即ち、コンパスペン１が使用されないときに常に図１〜図３の格納状態がとられる。これに対して、コンパスペン１が普通のボールペンの形態で筆記用に使おうとするときには、コンパスペン１は露出状態に置かれる。筆芯１５を露出状態に移動するために、スライダ２０が図１〜図３に示された位置から、係止フック２２が長孔２３のノッチ２６に係合するまで（図４〜図６参照）、保護キャップ３の方向に向けて移動される。筆芯１５を格納状態に戻すために、係止フック２２が手動でたわみ腕２１の弾性変形のもとでたわみ腕２１がノッチ２６から外れるまで接線方向に変位される。その際、筆芯１５は圧縮コイルばね２７によって図１〜図３における格納状態に戻される。
【００３６】
図１〜図３における格納状態から出発して、コンパスペン１をコンパス作業に利用するために、保護キャップ３が両コンパス脚５、６から引き抜かれ、これによって、両コンパス脚５、６の自由端３５、３６およびそれらの自由端３５、３６から突出した筆芯１５の先端ないしコンパス支点針１６の尖端に外から近づける（図８と図９参照）。コンパス作業においてコンパスペン１をその長手軸線Ｌの方向に関してほぼ垂直に向け得るようにするために、止めねじ２９を一時的に緩めて、コンパス支点針１６がその先端が鉛筆尖端３７とほぼ同じ軸方向高さで終えるまで引き出される。続いてコンパス作業のために、即ち、円線を描くために、両コンパス脚５、６が（普通のコンパスのように）、コンパス支点針１６と筆芯尖端３７との間隔が描くべき円の半径に相当した距離になるまで開脚される。両コンパス脚５、６の開脚状態の例は図１０と図１１に示されている。
【実施例２】
【００３７】
コンパスペン１の第２実施例が図１２〜図１４に示されている。この実施例は（以下異なって説明されていない点については）第１実施例に相当している。図１２〜図１４における第２実施例では、第１実施例と異なって、筆芯１５が回転コンパス脚５に場所を固定して、即ち、移動不能に保持されている。このために、筆芯１５に環状突起３８が場所を固定して設けられ、この環状突起３８はそのテーパ付き輪郭でその輪郭に合わされた回転コンパス脚５の自由端の内面輪郭に接する。
【００３８】
筆芯１５の場所固定保持にもかかわらず、コンパスペン１を露出状態と格納状態との間で移動できるようにするために、図１２〜図１４の実施例において、保護キャップ３はその装着状態においてコンパス本体２に関する２つの長手方向移動位置でコンパス本体２に係止できる。図１２には、保護キャップ３が両コンパス脚５、６に部分的にしか被せられていない格納状態に相応した保護キャップ３の移動位置が示されている。他方で図１３には、保護キャップ３が両コンパス脚５、６に完全に被せられた露出状態に相応した保護キャップ３の移動位置が示されている。
【００３９】
コンパス本体２への保護キャップ３の二段係止方式は変形バヨネット継手によって達成される。このために、回転コンパス脚５の自由端３５に、軸方向に互いに間隔を隔てられた２つの横向き空所４０、４１を備えた軸方向案内溝３９が設けられている。保護キャップ３の内周面に半径方向内側に突出した案内突起４２が一体形成され、この案内突起４２は保護キャップ３を押し被せる際に案内溝３９に沿って通る。格納状態に相応した長手方向移動位置（図１２参照）において保護キャップ３をロックするために、保護キャップ３が回転されて、案内突起４２が下側空所４０の中に入れられる。露出状態に相応した長手方向移動位置（図１３参照）において保護キャップ３をロックするために、保護キャップ３が回転されて、案内突起４２が上側空所４１の中に入れられる。
【実施例３】
【００４０】
コンパスペン１の第３実施例が図１５と図１６に示されている。この第３実施例も以下に述べる相違点を除いて第１実施例と同じである。即ち、ここでは保護キャップ３は、前述した実施例の保護キャップ３と異なって、保護キャップ３の装着状態において回転コンパス脚５の自由端３５と支点コンパス脚６の自由端３６との間に入り込む中間壁４３を有している。その保護キャップ３は厳密な意味で回転コンパス脚５の上だけに被せられ、即ち、その装着状態において回転コンパス脚５とだけ摩擦継手あるいはかみ合い継手を形成し、その継手が保護キャップ３をコンパス本体２に保持する。これに対して、支点コンパス脚６は被せられた保護キャップ３と機械的に連結されない。両コンパス脚の閉脚状態において回転コンパス脚６の自由端３６は保護キャップ３の内部にゆるく存在し、これによって、その自由端３６およびそこから突出したコンパス支点針１６が接触に対して保護される。保護キャップ３はその支点コンパス脚６の側に横側開口４４を備え、この横側開口４４によって、支点コンパス脚６は保護キャップ３を取り外す必要なしに閉脚状態にも開脚状態にも回動できる。
【実施例４】
【００４１】
コンパスペン１の第４実施例が図１７〜図１９に示されている。コンパスペン１の第４実施例も本質的に第１実施例に相当している。ここでは第１実施例と異なって、両コンパス脚５、６が保護キャップ３と一緒に、ほぼ細長い卵形に相応した人間工学的に丸められた外側輪郭を形成している。また第１実施例と異なって、例えばボールペンの場合にこれを上着ポケットなどに取り付けるために一般に普通であるように、保護キャップ３に留めクリップ４５が一体成形されている。この留めクリップ４５はキャップ軸線Ｋの方向に差込み側開口３０を越えて突出し、保護キャップ３の装着状態において閉脚状態の両コンパス脚５、６によって形成された外側輪郭にぴったり沿って延びる。
【００４２】
差込み側開口３０の断面は特に非円形に形成され、これによって、保護キャップ３は所定の回転位置でしか両コンパス脚５、６に被せることができない。その回転位置は特に、留めクリップ４５が回転コンパス脚５をほぼ中央に置くように選定されている。
【００４３】
また図１７〜図１９の実施例において、ボールペン機構１７の係止フック２２は解除のために接線方向に変位されず、半径方向に変位される。その係止フック２２はボールペン機構１７の係止のために回転コンパス脚５の壁における開口４６と協働する。この場合、留めクリップ４５は、その自由端に配置され内側に向けて突出する保持突起４７が保護キャップ３の装着状態において精確に開口４６の上に来るように設計されている。さらに保持突起４７は、被せられた保護キャップ３の留めクリップ４５が半径方向内側に押された際に保持突起４７が開口４６に係合し、場合によってここに保持されている係止フック２２を解除するように設計されている。即ち、これによって、留めクリップ４５はボールペン機構１７の単純な復帰に対して利用される。
【００４４】
この実施例においても、筆芯１５を格納するために、単純化のためだけで図１８と図１９に示されていない復帰ばねが設けられている。
【実施例５】
【００４５】
コンパスペン１の第５実施例が図２０〜図２２に示されている。この第５実施例はほぼ前述した第４実施例に相当している。しかし第４実施例と異なって図２０〜図２２に応じて、コンパス支点針１６が支点コンパス脚６に場所固定して配置され、特に一体化されている。ここでは（概略的に図示された）ボールペン機構１７は通常のダブルプッシュ機構の形態に形成されている。このボールペン機構１７の操作機構として、ここでは相応してホルダ４に長手方向移動可能に案内されているグリップ１０が用いられる。ボールペン機構１７と筆芯１５との簡単な連結を可能とするために、ここではホルダ４は単一品であり、従って、回転コンパス脚５に固く結合されている。支点コンパス脚６は長手軸線Ｌに関して偏心して、ホルダ４と回転コンパス脚５とから形成された構造ユニットにヒンジ結合されている。
【００４６】
図２０〜図２２においても復帰ばねが単純化のためだけで省かれている。
【００４７】
ここでは取付けねじ８はその頭部が例えば突出小片などの形態のグリップ輪郭にされ、これによって、支点コンパス脚６を回転コンパス脚５に関して所定の角度位置に固定するためないし支点コンパス脚の容易な回動を可能とするために、取付けねじ８が手で締め付けたり緩めたりできる。好適には、取付けねじ８が締め付けられた際の両コンパス脚５、６の相対固定を向上するために、取付けねじ８にゴム輪や歯付き座金やばね座金が敷かれる。
【００４８】
コンパスペン１の上述したすべての実施例において、筆芯１５も（図１〜図１９の実施例におけるコンパス支点針１６に類似して）単純なクランプ機構によって回転コンパス脚５に関して種々の長手方向移動位置に固定できる。またコンパスペン１のすべての実施例において、筆芯１５は鉛筆芯、色鉛筆芯、フェルトペン芯あるいは繊維ペン芯で置き換えることもできる。何はさておき、ボールペン機構１７は目的に適って、鉛筆芯や色鉛筆芯に対してシャープペンシルや細芯ペンにおいて普通の送り機構で換えられる。
【符号の説明】
【００４９】
１    コンパスペン
２    コンパス本体
３    保護キャップ
４    ホルダ
５    回転コンパス脚
６    支点コンパス脚
７    軸線
８    取付けねじ
９    自由端
１０    グリップ
１１    受け部
１２    ヒンジ継手端
１３    ヒンジ継手端
１４    隔離板
１５    筆芯
１６    コンパス支点針
１７    ボールペン機構
１８    ブッシュ
１９    連結部材
２０    スライダ
２１    たわみ腕
２２    係止フック
２３    長孔
２４    窪み
２５    ノッチ
２６    ノッチ
２７    圧縮コイルばね
２８    突起
２９    止めねじ
３０    差込み側開口
３２    （末端）端部
３３    貫通開口
３４    突起
３５    自由端
３６    自由端
３７    鉛筆尖端
３８    環状突出部
３９    案内溝
４０    空所
４１    空所
４２    案内突起
４３    中間壁
４４    開口
４５    留めクリップ
４６    開口
４７    保持突起
Ｋ    キャップ軸線
Ｌ    長手軸線
【図１】
2010137572.tif 000003
【図２】
2010137572.tif 000004
【図３】
2010137572.tif 000005
【図４】
2010137572.tif 000006
【図５】
2010137572.tif 000007
【図６】
2010137572.tif 000008
【図７】
2010137572.tif 000009
【図８】
2010137572.tif 000010
【図９】
2010137572.tif 000011
【図１０】
2010137572.tif 000012
【図１１】
2010137572.tif 000013
【図１２】
2010137572.tif 000014
【図１３】
2010137572.tif 000015
【図１４】
2010137572.tif 000016
【図１５】
2010137572.tif 000017
【図１６】
2010137572.tif 000018
【図１７】
2010137572.tif 000019
【図１８】
2010137572.tif 000020
【図１９】
2010137572.tif 000021
【図２０】
2010137572.tif 000022
【図２１】
2010137572.tif 000023
【図２２】
2010137572.tif 000024